(57)【要約】【課題】長尺の工具であっても抜き差しがしやすく、保持した工具が作業員の動きの妨げとなりにくい工具ホルダを提供する。【解決手段】工具ホルダ１００を、使用者の腰部ベルトに挿通されるベルト通し１１２、１１３、１１４を備えた板状の装着部１１０と、装着部の、使用時に前記使用者の身体側を向く面とは逆側の面に固定され、両端に開口を備えた工具保持筒１２０とを有し、前記工具保持筒の中心軸が、前記ベルト通しへの前記腰部ベルトの挿通方向と直交する方向に対して傾斜しているものとする。【選択図】図１
0003228916.tif 000002
【実用新案登録請求の範囲】
【請求項１】
使用者の腰部ベルトに挿通されるベルト通しを備えた板状の装着部と、
前記装着部の、使用時に前記使用者の身体側を向く面とは逆側の面に固定され、両端に開口を備えた工具保持筒と、
を有し、
前記工具保持筒の中心軸が、前記ベルト通しへの前記腰部ベルトの挿通方向と直交する方向に対して傾斜していることを特徴とする工具ホルダ。
【請求項２】
前記ベルト通しへの前記腰部ベルトの挿通方向に直交する方向と、前記工具保持筒の中心軸とが成す角度が３０°〜６０°であることを特徴とする請求項１に記載の工具ホルダ。
【請求項３】
前記工具保持筒の上端に、該工具保持筒に挿通された工具の一部と係合する切り欠きを有することを特徴とする請求項１又は２に記載の工具ホルダ。
【請求項４】
前記工具保持筒が、互いに平行に複数本設けられていることを特徴とする請求項１〜３のいずれかに記載の工具ホルダ。
【請求項５】
更に、
前記装着部の下端から、使用時における前記使用者の身体から離れる方向へと延出する延出部を有し、
前記延出部に、工具に取り付けられた落下防止用の紐を繋ぐ落下防止紐取付穴が形成されていることを特徴とする請求項１〜４のいずれかに記載の工具ホルダ。
【考案の詳細な説明】
【技術分野】
【０００１】
本考案は、工具を使用者の身体に保持させるための工具ホルダに関する。
【背景技術】
【０００２】
建設工事等の現場において、作業員が頻繁に使用する工具を携帯しながら作業を進められるよう、作業員の腰部に取り付けられる工具ホルダが知られている。このような工具ホルダは、一般的に皮革又は金属から成り、作業員の腰部ベルトに装着される装着部と、工具が挿通される筒状の工具保持部とを備えており、工具保持部はその両端の開口部をそれぞれ真上と真下に向けた状態で装着部の表面に固定されている（例えば、特許文献１を参照）。
【先行技術文献】
【特許文献】
【０００３】
【特許文献１】実登3164886号公報
【考案の概要】
【考案が解決しようとする課題】
【０００４】
作業員は自身の腰部ベルトに装着部を取り付けた状態で、工具保持部の上部開口から真下に工具を差し入れることによって工具を保持させる。しかしながら、こうした従来の工具ホルダは、保持させようとする工具が長尺であった場合に、抜き差しが困難になったり、工具保持部の下端から突出する工具が作業員の動きの妨げになったりするという問題があった。
【０００５】
本考案は上記の点に鑑みてなされたものであり、その目的とするところは、長尺の工具であっても抜き差しがしやすく、保持した工具が作業員の動きの妨げとなりにくい工具ホルダを提供することにある。
【課題を解決するための手段】
【０００６】
上記課題を解決するために成された本考案に係る工具ホルダは、
使用者の腰部ベルトに挿通されるベルト通しを備えた板状の装着部と、
前記装着部の、使用時に前記使用者の身体側を向く面とは逆側の面に固定され、両端に開口を備えた工具保持筒と、
を有し、
前記工具保持筒の中心軸が、前記ベルト通しへの前記腰部ベルトの挿通方向と直交する方向に対して傾斜していることを特徴としている。
【考案の効果】
【０００７】
上記本考案に係る工具ホルダによれば、使用者は自身の腰部ベルトに取り付けた工具ホルダに対して、斜め前方から工具を抜き差しすることができるため、長尺の工具であっても容易に抜き差しすることが可能となる。また、工具ホルダに差した工具が使用者の身体に対して斜めに保持されるため、使用者がしゃがんだ際などに工具の下端が床等に当たって突き上げられるのを防ぐことができ、作業員の動きの妨げとなりにくい。
【図面の簡単な説明】
【０００８】
【図１】本考案の一実施形態に係る工具ホルダの構成を示す図であって、（ａ）は正面図を、（ｂ）は、（ａ）の矢印Ａの方向から見た側面図を示す。
【図２】同実施形態に係る工具ホルダの背面図。
【図３】同実施形態に係る工具ホルダの使用方法を説明するための模式図。
【図４】左利き用の工具ホルダの構成例を示す正面図。
【図５】工具保持部に切り欠きを設けた構成例を示す図であって、（ａ）は正面図を、（ｂ）は、（ａ）の矢印Ａの方向から見た側面図を示す。
【図６】複数の工具保持部を備えた構成例を示す正面図であって、（ａ）は同じ太さの２本の工具保持部を備えた例を示し、（ｂ）は太さの異なる２本の工具保持筒を備えた例を示す。
【考案を実施するための形態】
【０００９】
以下、本考案を実施するための形態について説明する。図１は、本考案の一実施形態に係る工具ホルダ１００を示す図であり、（ａ）は正面図を、（ｂ）は、（ａ）中の矢印Ａで示す方向から見た側面図を示す。また、図２は、工具ホルダ１００の背面図である。以下、説明の便宜上、図１（ａ）中における上下方向及び左右方向を基準として、工具ホルダ１００の上下左右を定義する。また、同図の紙面手前側を前方とし、紙面奥側を後方とする。
【００１０】
本実施形態に係る工具ホルダ１００は、使用者の腰部の右横に取り付けて使用されるものであり、右利きの使用者に好適に用いられる。この工具ホルダ１００は、金属、皮革、又は合成樹脂から成り、使用者の腰部ベルト１３０（例えば、安全帯の腰ベルト）に装着される装着部１１０と、装着部１１０に固定された工具保持筒１２０とを備えている。
【００１１】
装着部１１０は、板状の基板部１１１と、断面コの字型のベルトループ１１２と、基板部１１１の下端から延出する延出部１１５と、を備えている。基板部１１１の中央には上下方向に延びる長孔から成る２本のベルト挿通孔１１３、１１４が互いに平行に穿設されており、基板部１１１の前面（すなわち使用時に使用者の身体と逆の側に位置する面）にはこれらのベルト挿通孔１１３、１１４を覆うようにしてベルトループ１１２が取り付けられている。このベルト挿通孔１１３、１１４及びベルトループ１１２が、本考案におけるベルト通しに相当する。但し、本考案におけるベルト通しは、ベルト挿通孔１１３、１１４又はベルトループ１１２のいずれか一方から成るものであってもよい。基板部１１１部の下端縁からは板状の延出部１１５が前方斜め下に向けて延出しており、その先端には落下防止紐取付穴１１６が穿設されている。落下防止紐取付穴１１６は左右に延びる円弧状の長孔であり、その中央部は延出部１１５の先端側に膨出している。
【００１２】
工具保持筒１２０は、両端に開口（以下、これらの開口の一方を上部開口１２１、他方を下部開口１２２とよぶ）を備えた円筒状の部材であって、上部開口１２１を右斜め上に向け、下部開口１２２を左斜め下に向けた状態で装着部１１０の前面（厳密にはベルトループ１１２の前面）に固定されている。すなわち、本実施形態における工具ホルダ１００は、使用者の腰部の右横に取り付けられた際に、工具保持筒１２０の上部開口１２１が使用者の前方斜め上を向き、下部開口１２２が使用者の後方斜め下を向くように構成されている。なお、工具保持筒１２０の寸法は、内径１ｃｍ〜５ｃｍ（望ましくは２ｃｍ〜４ｃｍ）、長さ５ｃｍ〜１０ｃｍ（望ましくは６ｃｍ〜９ｃｍ）程度とすることができるが、これに限定されるものではない。また、装着部１１０上下方向（すなわち腰部ベルト１３０の挿通方向と直交する方向）に対する工具保持筒１２０の中心軸の傾斜角度θは、３０°〜６０°（望ましくは４０°〜５０°）程度とすることができるが、これに限定されるものではない。また、工具保持筒１２０は上記のような円筒状に限らず、断面が多角形（例えば四角形）の角筒状としてもよい。
【００１３】
本実施形態に係る工具ホルダ１００の使用方法について、図３を参照しつつ説明する。図３は使用者の腰部の右横に工具ホルダ１００を取り付けた状態を、使用者の右側から見た図である。すなわち、図中の右側が使用者の前方に相当する。
【００１４】
まず、使用者は、工具ホルダ１００が腰の右横（すなわち利き腕側）に位置するように、自身の腰部ベルト１３０に工具ホルダ１００装着する。具体的には、例えば、腰部ベルト１３０の一端を、一方のベルト挿通孔１１３の後方から前方へと挿通し、更に、ベルトループ１１２に通した上で、他方のベルト挿通孔１１４の前方から後方へと挿通する。続いて、工具１４０（図３の例では曲尺）の一端を工具保持筒１２０の上部開口１２１から下部開口１２２へと挿通する。これにより、工具１４０の下端は、工具保持筒１２０の下部開口１２２から使用者の後方斜め下に向けて突出した状態となる。
【００１５】
なお、延出部１１５に設けられた落下防止紐取付穴１１６には、工具１４０の落下を防止するための紐（以下、落下防止紐１５０とよぶ）の一端に設けられた開閉式のフック１５１（又はカラビナ）を掛けることができる。なお、落下防止紐１５０の他端は、例えば、同様のフック１５２等によって工具１４０に取り付けられる。これにより、工具１４０と工具ホルダ１００とが落下防止紐１５０で繋がれた状態となり、仮に、使用者が工具１４０を取り落とした場合でも、工具１４０が地面へと落下するのを防ぐことができる。上述の通り、落下防止紐取付穴１１６は円弧状の長孔であるため、使用者が工具１４０を手に持って作業している間、工具１４０の動きに従って、落下防止紐１５０と工具ホルダ１００とを繋ぐフック１５１が、落下防止紐取付穴１１６に沿って移動することができる。これにより、作業者は工具の取り回しをスムーズに行うことができる。また、延出部１１５は使用者の身体から離れる方向に向かって延出しており、その先端部に落下防止紐取付穴１１６が設けられているため、落下防止紐取付穴１１６に掛けられたフック１５１等が使用者の身体に当接してその動きが妨げられることがない。
【００１６】
なお、工具ホルダ１００に曲尺を保持させる例を示したが、本考案に係る工具ホルダ１００に保持させる工具の種類はこれに限定されるものではなく、例えば、ドライバ、ハンマー、バール、左官ごて、又はメガネレンチ等、種々の工具の保持に利用することができる。
【００１７】
上記の通り、本考案に係る工具ホルダ１００によれば、工具１４０を斜めに掛けることができるため、工具保持筒１２０への工具の抜き差しが容易になる。また、使用者がしゃがんだ際などに、工具１４０の先端が地面や床に当たって突き上げられるのを防ぐことができ、保持した工具１４０が使用者の動きの妨げになるのを防ぐことができる。また、工具保持筒１２０の下部開口１２２が装着部１１０の斜め後方に位置するため、工具保持筒１２０に工具を差す際に、装着部１１０の下方に設けられた延出部１１５やそこに掛けられたフック１５１等に工具１４０の先端が当たるのを防ぐことができる。
【００１８】
以上、本考案を実施するための形態について具体例を挙げて説明を行ったが、本考案は上記の例に限定されるものではなく、本考案の趣旨の範囲で適宜変更が許容される。以下、本考案に係る工具ホルダの別の構成例について図４〜図６を参照しつつ説明する。なお、図４〜図６において、図１〜図３で示したものと同一又は共通する構成要素については下二桁が共通する符号を付し、適宜説明を省略する。
【００１９】
図４は、左利き用の工具ホルダ２００、すなわち使用者の腰の左横に装着して用いられる工具ホルダ２００の構成例を示している。この工具ホルダ２００の構成は、工具保持筒２２０の上部開口２２１が左上を向き、下部開口２２２が右下を向いている点以外は、図１〜図３で示した右利き用の工具ホルダ１００と同様である。
【００２０】
図５は、工具保持筒３２０の上端に工具の一部と係合する切り欠き３２３を備えた工具ホルダ３００の構成例である。このような構成によれば、工具保持筒３２０に工具を保持させた際に、切り欠き３２３に工具の一部（例えば、曲尺の短手や、左官ごての本体と柄とを繋ぐ首部など）が係合することにより、当該工具が工具保持筒３２０内で回動するのを防ぐことができるため、工具をより安定させて保持することが可能となる。なお、切り欠き３２３の形状は、図５に示したものに限定されるものではなく、工具を工具保持筒３２０に挿通させた際に、当該工具の一部と係合可能なものであればいかなるものであってもよい。
【００２１】
図６は、互いに平行な複数の工具保持筒を備えた工具ホルダ４００、５００の構成例を示している。このような構成によれば、１つの工具ホルダ４００、５００に複数の工具を保持させることが可能となる。なお、この場合、図６（ａ）に示すように同じ太さの複数の工具保持筒４６０、４７０を設けた構成としてもよく、図６（ｂ）に示すように互いに太さが異なる複数の工具保持筒５８０、５９０を備えた構成としてもよい。また、図６には２本の工具保持筒４６０、４７０又は５８０、５９０を備えた構成を示したが、本考案に係る工具ホルダは、工具保持筒を３本以上備えた構成としてもよい。
【符号の説明】
【００２２】
１００…工具ホルダ
１１０…装着部
１１１…基板部
１１２…ベルトループ
１１３、１１４…ベルト挿通孔
１１５…延出部
１１６…落下防止紐取付穴
１２０…工具保持筒
１２１…上部開口
１２２…下部開口
１３０…腰部ベルト
１４０…工具
１５０…落下防止紐
１５１、１５２…フック
【図１】
0003228916.tif 000003
【図２】
0003228916.tif 000004
【図３】
0003228916.tif 000005
【図４】
0003228916.tif 000006
【図５】
0003228916.tif 000007
【図６】
0003228916.tif 000008